(57)【要約】      （修正有）【課題】部品点数が少なく組み立てが容易なソファを提供する。【解決手段】ソファ1は、座板10と、座板に固定される左右の枠20と、座板の後方に取付けられる背枠と、座板の下部に固定される脚部40と、座板及び背枠に載せられるクッション50とを備える。ソファの座面を構成する部材として座板を用いるので、従来のようにフレームにバネ材を掛け渡す構造と比較して部品点数を抑えることができる。したがって、通信販売や店舗からの搬送が容易になると共に、購入者が作業経験に乏しい場合でも容易に組み立てることができる。【選択図】図１
0003210628.tif 000002
【実用新案登録請求の範囲】
【請求項１】
座板と、前記座板に固定される左右の枠と、前記座板の後方に取付けられる背枠と、前記座板の下部に固定される脚部と、前記座板及び前記背枠に載せられるクッションとを備えることを特徴とするソファ。
【請求項２】
前記脚部が着脱自在であることを特徴とする請求項1に記載のソファ。
【考案の詳細な説明】
【技術分野】
【０００１】
本考案は、部品点数が少なく組み立てが容易なソファに関する。
【背景技術】
【０００２】
一般的なソファは木製や金属製のフレームに、ウェービングベルト、Sバネ、コイルスプリング等のバネ材を掛け渡し、その上にクッション材を載せることで座面や背もたれを構成している。
しかし、部品点数が多いため組み立てが容易ではなく製造コストが嵩むという問題がある。
そこで、例えば特許文献1には、フレームとなる座り部セットと、左右の肘掛けとなる取っ手セットと、背もたれとなるバック・セットと、各セットを固着するための固着用部材からなるソファの組み立て構造が開示されている。
この構造によるとある程度経験を積んだ作業者であれば容易に組み立てられるという利点がある。
【先行技術文献】
【特許文献】
【０００３】
【特許文献１】特開2004−290270号公報
【考案の概要】
【考案が解決しようとする課題】
【０００４】
しかし、上記特許文献1の技術では以下のような問題がある。
すなわち近年ソファの構成部品を通信販売で購入したり、店舗で購入して自宅まで搬送したりして、購入者自身が組み立てて完成品のソファに仕上げるケースが増えている。
上記特許文献1の技術では、フレームやバネ材によって部品点数が嵩むので通信販売や店舗からの搬送が容易ではないという問題がある。
また、購入者が作業経験に乏しい場合、フレームを組み立てたり、フレームにバネ材を掛け渡したりする作業が難しいという問題がある。
【０００５】
本考案は上記問題に鑑み、部品点数が少なく組み立てが容易なソファを提供することを課題とする。
【課題を解決するための手段】
【０００６】
本考案のソファは、座板と、前記座板に固定される左右の枠と、前記座板の後方に取付けられる背枠と、前記座板の下部に固定される脚部と、前記座板及び前記背枠に載せられるクッションとを備えることを特徴とする。
また、前記脚部が着脱自在であることを特徴とする。
【考案の効果】
【０００７】
本考案ではソファの座面を構成する部材として座板を用いるので、従来のようにフレームにバネ材を掛け渡す構造と比較して部品点数を抑えることができる。したがって、通信販売や店舗からの搬送が容易になると共に、購入者が作業経験に乏しい場合でも容易に組み立てることができる。
また、脚部を着脱自在にすれば、脚部を取外すことでロータイプのソファとして使用できるので、ソファの購入者が生活様式に合わせてソファの形態を変えることができる。
【図面の簡単な説明】
【０００８】
【図１】ソファの正面図
【図２】座板の斜視図(a)、左右の枠の斜視図(b)、背枠の斜視図(c)及び脚部の斜視図(d)
【図３】座板に右の枠を取付けた状態を示す斜視図(a)、座板に左右の枠と背枠を取付けた状態を示す斜視図(b)及び座板への脚部の取り付け方法を示す斜視図(c)
【図４】ソファの左側面の透視図
【考案を実施するための形態】
【０００９】
本考案のソファ1の実施の形態について説明する。
図1〜図3に示すようにソファ1は座板10、左右の枠20、背枠30、脚部40及びクッション50から概略構成される。
座板10はソファ1の座面を構成する部材である。
本実施の形態の座板10は左右方向にのびる前後2本の第1部材11同士を、前後方向にのびる3本の第2部材12で連結している。そして、これら3本の第2部材12の上部に、左右方向にのびる5本の第3部材13を掛け渡して固定している。
第2部材12及び第3部材13の数はソファ1の寸法や要求強度に応じて適宜変更すればよい。また、第1部材11と第2部材12との接合、第2部材12と第3部材13との接合はボルト・ナット、接着剤、釘打ち等の周知の接合手段を用いればよい。
このように座板10を第1〜第3部材11〜13によってすき間が空くように組み合わせることで通気性の確保と軽量化を実現できる。
図4に示すように、第2部材12の下面を水平にし、上面を前方から後方に向かって傾斜するように、すなわち第2部材12の上下方向の厚さを前方から後方に向かって薄くなるようにテーパーさせるのが好ましい。これにより第3部材13の位置が前方から後方に向かって低くなっていくので、座板10にクッション50を載せた状態で使用者が座った際に、クッション50が前方に滑って位置がずれてしまう事態を防止できる。
座板10はソファ1の製造工場で予め組み立てておくのが好ましいが、ソファ1の購入者自身が組み立てることにしてもよい。
【００１０】
枠20は座板10の左右に固定される部材である。
枠20と座板10の接合はL型金具21を介してボルト締めにより接合しているが、ボルト締めに限らず周知の接合手段を用いればよい。本実施の形態の枠20は長方形の板体から成るが、これに限らず例えば中央をくり抜いたロ字状の板体等、適宜変更可能である。
各枠20の後端には2つのボルト穴22が形成されている。下方のボルト穴22に対して上方のボルト穴22はより後方に位置している。
【００１１】
背枠30は座板10の後方に取付けられる部材である。本実施の形態では上下2本の長尺の第4部材31の左右に第5部材32を接合し、2本の第4部材31の間に4本の第6部材33を接合している。第4部材31と第5部材32との接合、第4部材31と第6部材33との接合はボルト・ナット、接着剤、釘打ち等の周知の接合手段を用いればよい。
枠20の2つのボルト穴22を利用して第5部材32を枠20にボルト34を締めることで背枠30を左右の枠20に対して傾斜して固定している。
【００１２】
脚部40は座板10の下部に固定される部材である。
具体的には第2部材12の下面の前後にねじ穴14（図4）を設けており、このねじ穴14に、脚部40の上端から突出するボルト41を螺合することで脚部40を座板10に固定している。脚部40が座板10に対して着脱自在なので、ソファ1の購入者は脚部40を取外すことでロータイプのソファ1として使用することもできる。
【００１３】
クッション50は座板10及び背枠30に載せられるものであり、その内部にウレタン、羽毛、綿等が収容されている。
なお、第1〜第6部材31〜33の材質は木材が好ましく、特に無垢材を用いることにすればソファ1の意匠性を高めることができるが、木材に限らず金属や樹脂であってもよい。また、第1〜第6部材11〜13、31〜33にオイルやペンキを塗ることにすれば意匠性を向上させることができる。
【産業上の利用可能性】
【００１４】
本考案は、部品点数が少なく組み立てが容易なソファに関するものであり、産業上の利用可能性を有する。
【符号の説明】
【００１５】
1 ソファ
10 座板
11 第1部材
12 第2部材
13 第3部材
14 ねじ穴
20 枠
21 L型金具
22 ボルト穴
30 背枠
31 第4部材
32 第5部材
33 第6部材
34 ボルト
40 脚部
41 ボルト
50 クッション
【図１】
0003210628.tif 000003
【図２】
0003210628.tif 000004
【図３】
0003210628.tif 000005
【図４】
0003210628.tif 000006